(57)【特許請求の範囲】
【請求項１】
第１のＳＩＭを装着する第１のＳＩＭスロットと、第２のＳＩＭを装着する第２のＳＩＭスロットと、無線通信を行う無線通信インタフェース部と、前記第１のＳＩＭスロットの前記無線通信に基づく通信量を監視する通信量監視部と、前記第１のＳＩＭスロットの通信量上限値を保存する記憶部と、前記第１もしくは第２のＳＩＭスロットを指定する制御部と、を有し、前記制御部は、前記第１のＳＩＭスロットを指定し、前記通信量と前記通信量上限値とを比較し、前記通信量が前記通信量上限値を超過したことを確認すると前記第１のＳＩＭスロットから前記第２のＳＩＭスロットに切り替え、
前記制御部は、前記第１のＳＩＭスロットから前記第２のＳＩＭスロットに切り替えた後に手動で前記第１のＳＩＭスロットに切り替えられた場合、一定期間経過後に再び前記第２のＳＩＭスロットに切り替える、自動ＳＩＭ切替端末。
【請求項２】
前記通信量監視部は、定期的に前記通信量を監視する、請求項１記載の自動ＳＩＭ切替端末。
【請求項３】
前記切り替えたことを表示する表示部を有する、請求項１または２記載の自動ＳＩＭ切替端末。
【請求項４】
前記制御部は、帰属している端末とのインタフェースの種類に基づいて前記切り替えをする、請求項１から３の内の１項記載の自動ＳＩＭ切替端末。
【請求項５】
前記制御部は、前記インタフェースがＷｉ−Ｆｉを含むときに前記切り替えをする、請求項４記載の自動ＳＩＭ切替端末。
【請求項６】
前記制御部は、帰属している端末のアプリケーションに基づいて前記切り替えをする、請求項１から５の内の１項記載の自動ＳＩＭ切替端末。
【請求項７】
前記制御部は、前記アプリケーションが動画を扱うときに前記切り替えをする、請求項６記載の自動ＳＩＭ切替端末。
【請求項８】
第１のＳＩＭを装着する第１のＳＩＭスロットと、第２のＳＩＭを装着する第２のＳＩＭスロットと、を有する通信端末のＳＩＭスロットの切り替え方法において、前記第１のＳＩＭスロットの通信量上限値を登録し、前記第１のＳＩＭスロットの通信量を監視し、前記通信量と前記通信量上限値とを比較して、前記通信量が前記通信量上限値を超過したことを確認すると前記第１のＳＩＭスロットから前記第２のＳＩＭスロットに切り替え、
前記第１のＳＩＭスロットから前記第２のＳＩＭスロットに切り替えた後に手動で前記第１のＳＩＭスロットに切り替えられた場合、一定期間経過後に再び前記第２のＳＩＭスロットに切り替える、自動ＳＩＭ切替方法。
【請求項９】
定期的に前記通信量を監視する、請求項８記載の自動ＳＩＭ切替方法。
【発明の詳細な説明】
【技術分野】
【０００１】
本発明は、複数のＳＩＭカードを用いた通信端末のＳＩＭカードの切り替え技術に関する。
【背景技術】
【０００２】
近年、安価なＳＩＭ（Ｓｕｂｓｃｒｉｂｅｒ  Ｉｄｅｎｔｉｔｙ  Ｍｏｄｕｌｅ）カードによる通信サービスが提供されており、ユーザのＳＩＭ契約に関する選択肢が増えつつある。ＳＩＭカードは、スマートフォンや携帯電話、モバイルルータ等の通信端末で使われている電話番号を特定するための固有のＩＤ（ｉｄｅｎｔｉｆｉｃａｔｉｏｎ）番号が記録されたＩＣ（Ｉｎｔｅｇｒａｔｅｄ  Ｃｉｒｃｕｉｔ）カードである。
【０００３】
ＳＩＭカードを通信端末に装着することで、３Ｇ（３ｒｄ．  Ｇｅｎｅｒａｔｉｏｎ）やＬＴＥ（Ｌｏｎｇ  Ｔｅｒｍ  Ｅｖｏｌｕｔｉｏｎ）などのセルラー網に接続することができ、インターネット閲覧等が可能となる。また、最近では、ＳＩＭを２枚装着することが可能なデュアルＳＩＭに対応したスマートフォンやタブレット端末、モバイルルータなどが提供されている。このような背景から、一人のユーザが複数のＳＩＭを保有するといった状況も増えつつある。
【先行技術文献】
【特許文献】
【０００４】
【特許文献１】特開２００２−２１８５３６号公報
【特許文献２】特許第４５３２２８８号公報
【特許文献３】特表２０１３−５１９２４８号公報
【特許文献４】特表２０１２−５２９８５７号公報
【発明の概要】
【発明が解決しようとする課題】
【０００５】
ＳＩＭ契約においては、契約毎にあらかじめ決められた毎月の通信量の上限値があり、通信量がこの上限値を超過した場合、通信速度が制限される。例えば、この上限値が２Ｇｂｙｔｅ／月のＳＩＭ契約の場合、通信量が２Ｇｂｙｔｅまでは、理論値で下り１５０Ｍｂｐｓ、上り５０Ｍｂｐｓでの高速通信が可能である。しかしながら、通信量が２Ｇｂｙｔｅを超過した時点で、上り下り共に２００ｋｂｐｓの低速通信に制限される。そして、この低速通信から当初の高速通信に戻したい場合は、高速通信が可能なもう一方の別のＳＩＭに手動で切り替えなければならない。もしくは、低速通信を継続しなければならない。これらの状況は、ユーザにとっては通信端末の使い勝手に煩わしさをもたらすものである。
【０００６】
特許文献１には、複数のＩＣカードを装着し、時刻／累積使用時間／基地局から報知されている情報に含まれる国番号を用いて、使用するＩＣカードを切り替える携帯端末が開示されている。また、特許文献２、特許文献３、特許文献４には、複数のＳＩＭカードを装着しこれらを選択する関連技術が開示されている。しかしながら、これらの公知技術では、通信量に応じて使用するＳＩＭカードをユーザに意識させることなく切り替えることはできない。よって、規定の通信量を超過した場合にユーザが感じる、通信端末の使い勝手の煩わしさを解消することはできない。
【０００７】
本発明は、上記の課題に鑑みてなされたものであり、その目的は、複数のＳＩＭを有し、ユーザが意識することなく通信量に応じてＳＩＭを切り替えることで、適切な通信速度を維持することが可能な通信端末を提供することにある。
【課題を解決するための手段】
【０００８】
本発明による自動ＳＩＭ切替端末は、第１のＳＩＭを装着する第１のＳＩＭスロットと、第２のＳＩＭを装着する第２のＳＩＭスロットと、無線通信を行う無線通信インタフェース部と、前記第１のＳＩＭスロットの前記無線通信に基づく通信量を監視する通信量監視部と、前記第１のＳＩＭスロットの通信量上限値を保存する記憶部と、前記第１もしくは第２のＳＩＭスロットを指定する制御部と、を有し、前記制御部は、前記第１のＳＩＭスロットを指定し、前記通信量と前記通信量上限値とを比較し、前記通信量が前記通信量上限値を超過したことを確認すると前記第１のＳＩＭスロットから前記第２のＳＩＭスロットに切り替える。
【０００９】
本発明による自動ＳＩＭ切替方法は、第１のＳＩＭを装着する第１のＳＩＭスロットと、第２のＳＩＭを装着する第２のＳＩＭスロットと、を有する通信端末のＳＩＭスロットの切り替え方法において、前記第１のＳＩＭスロットの通信量上限値を登録し、前記第１のＳＩＭスロットの通信量を監視し、前記通信量と前記通信量上限値とを比較して、前記通信量が前記通信量上限値を超過したことを確認すると前記第１のＳＩＭスロットから前記第２のＳＩＭスロットに切り替える。
【発明の効果】
【００１０】
本発明によれば、複数のＳＩＭを有し、ユーザが意識することなく通信量に応じてＳＩＭを切り替えることで、適切な通信速度を維持することが可能な通信端末を提供することができる。
【図面の簡単な説明】
【００１１】
【図１】本発明の第１の実施形態の自動ＳＩＭ切替端末の構成を示すブロック図である。
【図２】本発明の第１の実施形態の自動ＳＩＭ切替方法を示すフローチャートである。
【図３】本発明の第２の実施形態の自動ＳＩＭ切替端末の構成を示すブロック図である。
【図４】本発明の第２の実施形態の自動ＳＩＭ切替方法を示すフローチャートである。
【図５】本発明の第２の実施形態の記憶部に保存されている各ＳＩＭスロットの通信量上限値の例を示す。
【図６】本発明の第２の実施形態の自動ＳＩＭ切替端末の自動切替動作をユーザに通知する表示動作を示すフローチャートである。
【図７】本発明の第２の実施形態の自動ＳＩＭ切替方法において帰属している端末とのインタフェースの種類を考慮した場合の動作を示すフローチャートである。
【図８】本発明の第２の実施形態の自動ＳＩＭ切替方法において帰属している端末とのアプリケーションの種類を考慮した場合の動作を示すフローチャートである。
【図９】本発明の第２の実施形態の自動ＳＩＭ切替方法において手動切替動作を考慮した場合の動作を示すフローチャートである。
【発明を実施するための形態】
【００１２】
以下、図を参照しながら、本発明の実施形態を詳細に説明する。但し、以下に述べる実施形態には、本発明を実施するために技術的に好ましい限定がされているが、発明の範囲を以下に限定するものではない。
（第１の実施形態）
図１は、本発明の第１の実施形態の自動ＳＩＭ切替端末の構成を示すブロック図である。本実施形態の自動ＳＩＭ切替端末１は、第１のＳＩＭを装着する第１のＳＩＭスロット２と、第２のＳＩＭを装着する第２のＳＩＭスロット３と、無線通信を行う無線通信インタフェース部４とを備えている。さらに、第１のＳＩＭスロット２の前記無線通信に基づく通信量を監視する通信量監視部５と、第１のＳＩＭスロット２の通信量上限値を保存する記憶部６と、第１もしくは第２のＳＩＭスロットを指定する制御部７と、を備えている。さらに、制御部７は、第１のＳＩＭスロット２を指定し、前記通信量と前記通信量上限値とを比較し、前記通信量が前記通信量上限値を超過したことを確認すると第１のＳＩＭスロット２から第２のＳＩＭスロット３に切り替える。
【００１３】
図２は、本発明の第１の実施形態の自動ＳＩＭ切替方法を示すフローチャートである。本実施形態の自動ＳＩＭ切替方法は、第１のＳＩＭを装着する第１のＳＩＭスロットと、第２のＳＩＭを装着する第２のＳＩＭスロットと、を有する通信端末のＳＩＭスロットの切替方法において、前記第１のＳＩＭスロットの通信量上限値を登録し（ステップＳ１）、前記第１のＳＩＭスロットの通信量を監視し（ステップＳ２）、前記通信量と前記通信量上限値とを比較して（ステップＳ３）、前記通信量が前記通信量上限値を超過したことを確認すると（ステップＳ３がＹＥＳの場合）、前記第１のＳＩＭスロットから前記第２のＳＩＭスロットに切り替える（ステップＳ４）。なお、ステップＳ３がＮＯの場合、ステップＳ１を繰り返す。
【００１４】
本実施形態によれば、複数のＳＩＭを有し、ユーザが意識することなく通信量に応じてＳＩＭを切り替えることで、適切な通信速度を維持することが可能な通信端末を提供することができる。
（第２の実施形態）
図３は、本発明の第２の実施形態の自動ＳＩＭ切替端末の構成を示すブロック図である。本実施形態の自動ＳＩＭ切替端末１０は、デュアルＳＩＭに対応している端末であり、ＬＴＥや３Ｇ等のセルラー網２０と無線通信３０を介して接続する。
【００１５】
自動ＳＩＭ切替端末１０は、第１のＳＩＭ１８を装着する第１のＳＩＭスロット１１と、第２のＳＩＭ１９を装着する第２のＳＩＭスロット１２と、無線通信を行う無線通信インタフェース部１３と、を備えている。さらに、第１のＳＩＭスロット１１の前記無線通信に基づく通信量を監視する通信量監視部１４と、第１のＳＩＭスロット１１の通信量上限値を保存する記憶部１５と、第１もしくは第２のＳＩＭスロットを指定して運用する制御部１６と、を備えている。
【００１６】
通信量監視部１４は、定期的に第１のＳＩＭスロット１１の通信量を監視する。制御部１６は、第１のＳＩＭスロット１１指定して運用し、前記通信量と前記通信量上限値とを比較し、前記通信量が前記通信量上限値を超過したことを確認すると、第１のＳＩＭスロット１１から第２のＳＩＭスロット１２に運用を切り替える。
【００１７】
自動ＳＩＭ切替端末１０は、ＬＣＤ（Ｌｉｑｕｉｄ  Ｃｒｙｓｔａｌ  Ｄｉｓｐｌａｙ）などの表示部１７を備えている。表示部１７は、制御部１６が第１のＳＩＭスロット１１から第２のＳＩＭスロット１２に運用を切り替えたことを、アイコンを点滅させる等の方法で表示する。
【００１８】
自動ＳＩＭ切替端末１０は、無線通信インタフェース部１３により、Ｗｉ−Ｆｉ（登録商標）（Ｗｉｒｅｌｅｓｓ  Ｆｉｄｅｌｉｔｙ）などの無線通信４０によって無線端末５０と、Ｂｌｕｅｔｏｏｔｈ（登録商標）通信６０によってＢｌｕｅｔｏｏｔｈ端末７０と通信することができる。無線端末５０では、メールアプリ５１や動画アプリ５２といったアプリケーションが動作している。Ｂｌｕｅｔｏｏｔｈ端末７０でも、メールアプリ７１や動画アプリ７２といったアプリケーションが動作している。
【００１９】
制御部１６は、第１のＳＩＭスロット１１から第２のＳＩＭスロット１２に運用を切り替える際に、帰属している端末とのインタフェースの種類を考慮することができる。例えば、帰属している端末がＷｉ-Ｆｉで接続している無線端末５０の場合、高速通信が好適であることから、制御部１６は、第１のＳＩＭスロット１１から第２のＳＩＭスロット１２に切り替える。一方、帰属している端末がＢｌｕｅｔｏｏｔｈで接続しているＢｌｕｅｔｏｏｔｈ端末７０の場合、低速通信でも不便はないことから、制御部１６は、第１のＳＩＭスロット１１から第２のＳＩＭスロット１２に切り替えない。
【００２０】
また、制御部１６は、第１のＳＩＭスロット１１から第２のＳＩＭスロット１２に運用を切り替える際に、帰属している端末で動作しているアプリケーションの種類を考慮することができる。例えば、無線端末５０やＢｌｕｅｔｏｏｔｈ端末７０で動画アプリ５２、７２が動作している場合、高速通信が必要であることから、制御部１６は、第１のＳＩＭスロット１１から第２のＳＩＭスロット１２に切り替える。一方、メールアプリ５１、７１が動作している場合、高速通信は必要ないことから、制御部１６は、第１のＳＩＭスロット１１から第２のＳＩＭスロット１２に切り替えない。
【００２１】
また、制御部１６が第１のＳＩＭスロット１１から第２のＳＩＭスロット１２に切り替えた後に、ユーザが手動などで第１のＳＩＭスロット１１に運用を戻した場合、制御部１６は、一定期間経過後に再び第２のＳＩＭスロット１２に切り替えることができる。
【００２２】
次に、本実施形態の動作について説明する。図４は、本実施形態の自動ＳＩＭ切替方法を示すフローチャートである。図４のフローチャートは、制御部１６が第１のＳＩＭスロット１１を指定して第１のＳＩＭ１８を運用し、無線通信インタフェース１３を介した無線通信が開始されたことで、開始となる。
【００２３】
まず、制御部１６は、記憶部１５に保存されている第１のＳＩＭスロット１１の通信量上限値を取得する（ステップＡ１）。第１のＳＩＭスロット１１の通信量上限値の保存は、表示部１７であるＬＣＤの画面に表示されるタッチパネルなどを使ってユーザにより入力された上限値を、制御部１６の制御により記憶部１５に記憶するなどが可能である。
【００２４】
次に、制御部１６は、通信監視部１４からＳＩＭスロット１１の前記無線通信に基づく通信量を取得する（ステップＡ２）。次に、制御部１６は、取得した通信量と通信量上限値とを比較する（ステップＡ３）。制御部１６は、通信量が通信量上限値を超過したことを確認すると（ステップＡ３のＹＥＳ）、第１のＳＩＭスロット１１から第２のＳＩＭスロット１２に切り替え（ステップＳ４）、終了する。
【００２５】
一方、ステップＡ３がＮＯの場合、制御部１６は、一定期間をおいて（ステップＡ５）、ステップＡ１を繰り返す。なお、制御部１６は、一定期間をおいた後（ステップＡ５）、ステップＡ２を繰り返してもよい。この場合、制御部１６は、ステップＡ１で取得した通信量上限値を保持し続けていればよい。
【００２６】
図５は、記憶部１７に保存されている各ＳＩＭスロットの通信量上限値の例を示す。図５では、第１のＳＩＭスロット１１の通信量上限値を２．０ＧＢ、第２のＳＩＭスロット１２の通信量上限値を３．０ＧＢとしている。制御部１６は、ステップＡ３で、第１のＳＩＭスロット１１の通信量が上限値の２．０ＧＢを超過したことを確認すると、自動的に第１のＳＩＭスロット１１から第２のＳＩＭスロット１２に切り替える。なお、第２のＳＩＭスロット１２の通信量上限値は、第１のＳＩＭスロット１１の通信量上限値よりも、大きくても小さくても同じでもよい。
【００２７】
図６は、本実施形態の自動ＳＩＭ切替端末１０が、ＳＩＭスロットを自動で切り替えたことをユーザに通知する表示動作を示すフローチャートである。図６の表示動作で表示部１７は、制御部１６が第１のＳＩＭスロット１１から第２のＳＩＭスロット１２に切り替えたことを、ＬＣＤに表示したＳＩＭの切り替えを示すアイコンを点滅させる等の方法で表示する。本フローチャートは、ＳＩＭスロットが切り替わったことで開始となる。
【００２８】
制御部１６は、図４のフローチャートに基づいてＳＩＭスロットが自動で切り替えられた場合（ステップＢ１のＹＥＳ）、表示部１７のアイコンを点滅させ（ステップＢ２）、終了する。一方、制御部１６は、ＳＩＭスロットが図４のフローチャートに基づかないで、ユーザの手動などで切り替えられた場合（ステップＢ１のＮＯ）、アイコンの点滅は行わず（ステップＢ３）、終了する。ステップＢ２で点滅したアイコンは、ユーザが認識した後に手動で点滅を終了することができる。なお、ＳＩＭスロットの切り替えの通知は、アイコンを点滅する方法には限定されず、自動切り替えと手動切り替えとが判別可能であれば、例えば音声などでも可能であり、ユーザーインタフェースは任意である。
【００２９】
図７は、本実施形態の自動ＳＩＭ切替方法において、自動ＳＩＭ切替端末１０に帰属している端末とのインタフェースの種類を考慮した場合の動作を示すフローチャートである。端末とのインタフェースは、ここでは図３に示すように、高速通信のＷｉ−Ｆｉなどの無線通信４０と、低速通信のＢｌｕｅｔｏｏｔｈ通信６０としているが、これらには限定されない。図７のフローチャートは、図４のフローチャートのステップＡ３がＹＥＳ、すなわち、第１のＳＩＭスロット１１の通信量が上限値を超過したことを制御部１６が確認した時点で開始となる。
【００３０】
まず、制御部１６は、自動ＳＩＭ切替端末１０に従属している端末とのインタフェースを、無線通信インタフェース部１３から情報を取得して確認する（ステップＣ１）。インタフェースがＷｉ−Ｆｉを含む場合、すなわち、Ｗｉ−Ｆｉのみ、もしくはＷｉ−ＦｉとＢｌｕｅｔｏｏｔｈの両方である場合（ステップＣ２のＹＥＳ）、制御部１６は、第１のＳＩＭスロット１１から第２のＳＩＭスロット１２に切り替え（ステップＣ３）、終了する。一方、インタフェースがＷｉ−Ｆｉを含まない場合、すなわち、Ｂｌｕｅｔｏｏｔｈのみの場合（ステップＣ２のＮＯ）、制御部１６は、第１のＳＩＭスロット１１から第２のＳＩＭスロット１２に切り替えず（ステップＣ４）、終了する。
【００３１】
以上の動作により、インタフェースに見合ったＳＩＭスロットの選択をすることができる。
【００３２】
図８は、本実施形態の自動ＳＩＭ切替方法において、自動ＳＩＭ切替端末１０に帰属している端末で動作しているアプリケーションの種類を考慮した場合の動作を示すフローチャートである。端末で動作するアプリケーションは、ここでは図３に示すように、Ｗｉ−Ｆｉなどの無線通信４０による無線端末５０でも、Ｂｌｕｅｔｏｏｔｈ通信６０によるＢｌｕｅｔｏｏｔｈ端末７０でも、メールアプリ５１、７１と動画アプリ５２、７２としているが、これらには限定されない。また、動画アプリは高速通信を必要とし、メールアプリは低速通信での利用が可能であるとする。
【００３３】
図８のフローチャートは、図４のフローチャートのステップＡ３がＹＥＳ、すなわち、第１のＳＩＭスロット１１の通信量が上限値を超過したことを制御部１６が確認した時点で開始となる。
【００３４】
まず、制御部１６は、自動ＳＩＭ切替端末１０に従属している端末で動作しているアプリケーションの種類を、無線通信インタフェース部１３から情報を取得して確認する（ステップＤ１）。アプリケーションが動画アプリを含む場合、すなわち、動画アプリのみ、もしくは動画アプリとメールアプリの両方である場合（ステップＤ２のＹＥＳ）、制御部１６は、第１のＳＩＭスロット１１から第２のＳＩＭスロット１２に切り替え（ステップＤ３）、終了する。一方、アプリケーションが動画アプリを含まない場合、すなわち、メールアプリのみの場合（ステップＤ２のＮＯ）、制御部１６は、第１のＳＩＭスロット１１から第２のＳＩＭスロット１２に切り替えず（ステップＤ４）、終了する。
【００３５】
以上の動作により、アプリケーションに見合ったＳＩＭスロットの選択をすることができる。なお、ＳＩＭスロットの選択に際してインタフェースとアプリケーションの両方を考慮する場合は、予め、インタフェースとアプリケーションとの優先順位を付けておくなどの対応が可能である。
【００３６】
図９は、本実施形態の自動ＳＩＭ切替方法において、手動切替動作を考慮した場合の動作を示すフローチャートである。すなわち、自動ＳＩＭ切替端末１０では、制御部１６が第１のＳＩＭスロット１１から第２のＳＩＭスロット１２に切り替えた後に、ユーザが手動で第１のＳＩＭスロット１１に運用を戻した場合、制御部１６は、一定期間経過後に再び第２のＳＩＭスロット１２に切り替えることができる。
【００３７】
図９のフローチャートは、図４のフローチャートが終了、すなわち、第１のＳＩＭスロット１１から第２のＳＩＭスロット１２に切り替えられた時点で開始となる。
【００３８】
まず、制御部１６は、手動により第２のＳＩＭスロット１２から第１のＳＩＭスロット１１に切り替えられたことを認識する（ステップＥ１）。次に、制御部１６は、第１のＳＩＭスロット１１に切り替えられた後、予め設定された一定時間を経過したか否かを確認する（ステップＥ２）。一定時間を経過した場合（ステップＥ２のＹＥＳ）、制御部１６は、第１のＳＩＭスロット１１から第２のＳＩＭスロット１２に切り替える（ステップＥ３）。一方、ステップＥ２がＮＯの場合、ステップＥ２を繰り返す。
【００３９】
なお、本実施形態の自動ＳＩＭ切替端末および自動ＳＩＭ切替方法は、ＳＩＭカードに限らず、ＳＩＭカードに代わるＩＣカードであっても適用することができる。
【００４０】
以上のように、本実施形態によれば、複数のＳＩＭを有し、ユーザが意識することなく通信量に応じてＳＩＭを切り替えることで、適切な通信速度を維持することが可能な通信端末を提供することができる。
【００４１】
本発明は上記実施形態に限定されることなく、特許請求の範囲に記載した発明の範囲内で種々の変形が可能であり、それらも本発明の範囲内に含まれるものである。
【００４２】
また、上記の実施形態の一部又は全部は、以下の付記のようにも記載され得るが、以下には限られない。
【００４３】
付記
（付記１）
第１のＳＩＭを装着する第１のＳＩＭスロットと、第２のＳＩＭを装着する第２のＳＩＭスロットと、無線通信を行う無線通信インタフェース部と、前記第１のＳＩＭスロットの前記無線通信に基づく通信量を監視する通信量監視部と、
前記第１のＳＩＭスロットの通信量上限値を保存する記憶部と、前記第１もしくは第２のＳＩＭスロットを指定する制御部と、を有し、前記制御部は、前記第１のＳＩＭスロットを指定し、前記通信量と前記通信量上限値とを比較し、前記通信量が前記通信量上限値を超過したことを確認すると前記第１のＳＩＭスロットから前記第２のＳＩＭスロットに切り替える、自動ＳＩＭ切替端末。
（付記２）
前記通信量監視部は、定期的に前記通信量を監視する、付記１記載の自動ＳＩＭ切替端末。
（付記３）
前記切り替えたことを表示する表示部を有する、付記１または２記載の自動ＳＩＭ切替端末。
（付記４）
前記制御部は、帰属している端末とのインタフェースの種類に基づいて前記切り替えをする、付記１から３の内の１項記載の自動ＳＩＭ切替端末。
（付記５）
前記制御部は、前記インタフェースがＷｉ−Ｆｉを含むときに前記切り替えをする、付記４記載の自動ＳＩＭ切替端末。
（付記６）
前記制御部は、帰属している端末のアプリケーションに基づいて前記切り替えをする、付記１から５の内の１項記載の自動ＳＩＭ切替端末。
（付記７）
前記制御部は、前記アプリケーションが動画を扱うときに前記切り替えをする、付記６記載の自動ＳＩＭ切替端末。
（付記８）
前記制御部は、前記第１のＳＩＭスロットから前記第２のＳＩＭスロットに切り替えた後に前記第１のＳＩＭスロットに切り替えられた場合、一定期間経過後に再び前記第２のＳＩＭスロットに切り替える、付記１から７の内の１項記載の自動ＳＩＭ切替端末。
（付記９）
第１のＳＩＭを装着する第１のＳＩＭスロットと、第２のＳＩＭを装着する第２のＳＩＭスロットと、を有する通信端末のＳＩＭスロットの切り替え方法において、前記第１のＳＩＭスロットの通信量上限値を登録し、前記第１のＳＩＭスロットの通信量を監視し、前記通信量と前記通信量上限値とを比較して、前記通信量が前記通信量上限値を超過したことを確認すると前記第１のＳＩＭスロットから前記第２のＳＩＭスロットに切り替える、自動ＳＩＭ切替方法。
（付記１０）
定期的に前記通信量を監視する、付記９記載の自動ＳＩＭ切替方法。
（付記１１）
前記切り替えたことを表示する、付記９または１０記載の自動ＳＩＭ切替方法。
（付記１２）
前記通信端末に帰属している端末とのインタフェースの種類に基づいて前記切り替えをする、付記９から１１の内の１項記載の自動ＳＩＭ切替方法。
（付記１３）
前記インタフェースがＷｉ−Ｆｉを含むときに前記切り替えをする、付記１２記載の自動ＳＩＭ切替方法。
（付記１４）
前記通信端末に帰属している端末のアプリケーションに基づいて前記切り替えをする、付記９から１３の内の１項記載の自動ＳＩＭ切替方法。
（付記１５）
前記アプリケーションが動画を扱うときに前記切り替えをする、付記１４記載の自動ＳＩＭ切替方法。
（付記１６）
前記第１のＳＩＭスロットから前記第２のＳＩＭスロットに切り替えた後に前記第１のＳＩＭスロットに切り替えられた場合、一定期間経過後に再び前記第２のＳＩＭスロットに切り替える、付記９から１５の内の１項記載の自動ＳＩＭ切替方法。
【符号の説明】
【００４４】
１、１０    自動ＳＩＭ切替端末
２、１１    第１のＳＩＭスロット
３、１２    第２のＳＩＭスロット
４、１３    無線通信インタフェース部
５、１４    通信量監視部
６、１５    記憶部
７、１６    制御部
１７    表示部
１８    第１のＳＩＭ
１９    第２のＳＩＭ
２０    セルラー網
３０、４０    無線通信
５０    無線端末
５１、７１    メールアプリ
５２、７２    動画アプリ
６０    Ｂｌｕｅｔｏｏｔｈ通信
７０    Ｂｌｕｅｔｏｏｔｈ端末
【図１】
0006272268.tif 000002
【図２】
0006272268.tif 000003
【図３】
0006272268.tif 000004
【図４】
0006272268.tif 000005
【図５】
0006272268.tif 000006
【図６】
0006272268.tif 000007
【図７】
0006272268.tif 000008
【図８】
0006272268.tif 000009
【図９】
0006272268.tif 000010